(57)【要約】【課題】本発明は、巻取式ウインチを利用して大空間部を間仕切り等でき、しかもその取り付けが容易で、安全性にとんだ巻取式ウインチを用いたネット又はシート等の吊張体の移動システムを提供することを課題とする。【解決手段】駆動軸を介して巻回ドラムを回転駆動し、巻回ドラムに巻回されたワイヤロープ等の紐状体を巻回移動して、ワイヤロープ等の紐状体に取り付けられたネット又はシート等の吊張体を吊り張り移動することで所望の空間部を開閉する巻取式ウインチを用いたネット又はシート等の吊張体の吊張移動システムにおいて、空間部の所望の箇所に設置された複数台の巻取式ウインチよりそれぞれ巻回ドラムの回転駆動を制御した状態でワイヤロープ等の紐状体を引き出し移動又は巻き取り移動し、ワイヤロープ等の紐状体に水平状態で連結された棒状体を上下動し棒状体に取り付けられ、且つその戻り伸縮を阻止した状態で設けられたネット又はシート等の吊張体を吊り張り移動又は収納移動して、ネット又はシート等の吊張体で空間部を開閉する。【選択図】図１
2010017507.tif 000002
【特許請求の範囲】
【請求項１】
駆動軸を介して巻回ドラムを回転駆動し、巻回ドラムに巻回されたワイヤロープ等の紐状体を巻回移動して、ワイヤロープ等の紐状体に取り付けられたネット又はシート等の吊張体を吊り張り移動することで所望の空間部を開閉する巻取式ウインチを用いたネット又はシート等の吊張体の吊張移動システムにおいて、空間部の所望の箇所に設置された複数台の巻取式ウインチよりそれぞれ巻回ドラムの回転駆動を制御した状態でワイヤロープ等の紐状体を引き出し移動又は巻き取り移動し、ワイヤロープ等の紐状体に水平状態で連結された棒状体を上下動し、棒状体に取り付けられ且つその戻り伸縮を阻止した状態で設けられたネット又はシート等の吊張体を吊り張り移動又は収納移動して、ネット又はシート等の吊張体で空間部を開閉することを特徴とする巻取式ウインチを用いたネット又はシート等の吊張体の吊張移動システム。
【請求項２】
駆動軸を介して巻回ドラムを回転駆動し、巻回ドラムに巻回されたワイヤロープ等の紐状体を巻回移動して、ワイヤロープ等の紐状体に取り付けられたネット又はシート等の吊張体を吊り張り移動することで所望の空間部を開閉する巻取式ウインチを用いたネット又はシート等の吊張体の吊張移動システムにおいて、空間部の所望の箇所に設置された複数台の巻取式ウインチよりそれぞれ巻回ドラムの回転駆動を制御した状態で複数のワイヤロープ等の紐状体を引き出し移動又は巻き取り移動し、各ワイヤロープ等の紐状体に連結され、且つ空間部の大きさに対応して水平状態に複数個設けられた棒状体をそれぞれ同期して上下動し、棒状体に取り付けられ且つその伸縮を阻止した状態で設けられたネット又はシート等の吊張体を吊り張り移動又は収納移動して、ネット又はシート等の吊張体で所望の空間部全体を開閉することを特徴とする巻取式ウインチを用いたネット又はシート等の吊張体の吊張移動システム。
【発明の詳細な説明】
【技術分野】
【０００１】本発明は、ワイヤロープ等の紐状体を巻回する巻取式ウインチを用いて屋内外の所望の空間部を開閉する巻取式ウインチを用いたネット又はシート等の吊張体の移動システムに関する。
【背景技術】
【０００２】例えば、屋内外の各種の施設で所望の空間部を開閉するのに使用する装置としては、次のような構成の装置が一般的に使用されている。【０００３】上記装置は、防球用や間仕切り用等として使用する網目状のネットと、ネットの両端側にそれぞれ連結された２本のワイヤロープと、ワイヤロープをそれぞれ巻き取り移動又は引き出し移動するための巻取式ウインチと、ネットの上端側に連結され上方側に巻き取り／引き出し移動する支持ロープと、から構成されている。そして、各巻取式ウインチの巻回ドラムを回転駆動することで、ドラムに巻回されたワイヤロープを巻き取り移動して２本のワイヤロープをお互いに逆方向に引っ張り移動するとともに、支持ロープを上方側に引っ張り移動することで、ネットの荷重を分散しながらワイヤロープに連結されたネットを水平に吊り張りして空間部の間仕切り等に利用する。（参考、特許第４０３２３１５号公報）。【０００４】また、近年において日本各地で屋内施設として大空間部を有する多目的の室内球技場が多数建設され、大空間部を利用目的に応じて間仕切り等するのにネット又はシートが利用されている。【０００５】上記ネット又はシートは、大空間部を間仕切りするのに使用するために重量があり、複数のワイヤロープを利用して吊り張りする必要がある。例えば、次のような構成でネットを吊り張りする。即ち、所望の空間部間にエンドレス状に吊り張りし、ウインチで回転駆動するウインチ用のワイヤロープと、ウインチ用のワイヤロープに所望の間隔で一端側を取り付けた複数のガイト用のワイヤロープと、ガイド用のワイヤロープの他端側に取り付けられたネットとで構成し、ウインチを駆動することでウインチ用のワイヤロープを回転移動してガイド用のワイヤロープを昇降移動することで、ネットを吊り張り又は収納する。（参考、特開２００３−１１７０４６号公報）。【０００６】また、他の方法として巻取式ウインチを用いる方法も考えられた。例えば、特開２００７−４４４５４号公報に開示されたネット等の吊張体の吊り張り方法である。【０００７】上記ネット等の吊張体の吊り張り方法は、複数の巻取式ウインチにそれぞれ巻回したワイヤロープを天井の円弧部に沿って天頂部と該天頂部からの距離に応じてその長さを調整しながら昇降移動することで、該ワイヤロープに連結されたネット等の吊張体を空間部に吊り張り又は収納する方法である。
【発明が解決しようとする課題】
【０００８】しかしながら、上記従来より使用されているエンドレス状のウインチを使用する方法では、大空間部の間仕切り用等に対応した場合、ネットの荷重のために、横方向でエンドレス状に回転移動するウインチ用のワイヤロープは全体の荷重がかかりスムーズな回転移動ができないという欠点があった。
【０００９】また、従来の巻取式ウインチを用いたシステムでは、間仕切り用等に対応した場合、複数のワイヤロープそれぞれがネットに直接連結しているために、ネットの昇降時に各ワイヤロープにかかるネットの荷重のバランスが相違しワイヤロープに撓みや弛み等が発生しやすく、そのつどその撓み等を解消しなければ、連続したネットの昇降移動ができない欠点があった。
【００１０】また、上記従来の巻取式ウインチを利用するシステムでは、各ワイヤロープをネットの設けられた棒状体に取り付けて水平状態でネットを吊り張りすることも考えられたが、大空間部の場合は、複数枚のネットを繋ぎ合わせて使用しているために、ネットの戻り伸縮（ネットの網目部分に沿って斜め方向に収縮しようとする性質（ネットは通常巻き畳んだ状態で搬送されるために網目に沿って斜め方向に収縮する性質）を有する）により、上端部を単に棒状体に取り付けただけでは、ネットを上下方向及び左右方向に十分に引っ張った状態で吊り張りすることができないという問題点があった。
【００１１】さらに、空間部の大きさに応じた長尺状の棒状体を使用すると、棒状体に連結した複数のワイヤロープの移動距離が天井からの距離に応じて相違するために、その昇降時にいくつかのワイヤロープに撓み等が発生し棒状体の水平移動ができない欠点があった。
【００１２】また、上記従来の巻取式ウインチは、連続して使用するとワイヤロープの捩じれや伸びが発生しやすく、複数の巻取式ウインチを使用する場合はそれぞれのワイヤロープの捩じれや伸びの割合が相違し、その制御が難しいという欠点があった。
【００１３】そこで、本発明は、巻取式ウインチを利用して大空間部を確実に間仕切り等することができ、しかもその取り付けが容易で、安全性にとんだ巻取式ウインチを用いたネット又はシート等の吊張体の移動システムを提供することを課題とする。
【課題を解決するための手段】
【００１４】本発明は上記課題を解決するための巻取式ウインチを用いたネット又はシート等の吊張体の移動システムの第１の解決手段は、請求項１に記載のように、駆動軸を介して巻回ドラムを回転駆動し、巻回ドラムに巻回されたワイヤロープ等の紐状体を巻回移動して、ワイヤロープ等の紐状体に取り付けられたネット又はシート等の吊張体を吊り張り移動することで所望の空間部を開閉する巻取式ウインチを用いたネット又はシート等の吊張体の吊張移動システムにおいて空間部の所望の箇所に設置された複数台の巻取式ウインチよりそれぞれ巻回ドラムの回転駆動を制御した状態でワイヤロープ等の紐状体を引き出し移動又は巻き取り移動し、ワイヤロープ等の紐状体に水平状態で連結された棒状体を上下動して、棒状体に取り付けられ且つその戻り伸縮を阻止した状態で設けられたネット又はシート等の吊張体を吊り張り移動又は収納移動して、ネット又はシート等の吊張体で空間部を開閉することを特徴とする。
【００１５】また、巻取式ウインチを用いたネット又はシート等の吊張体の移動システムの第２の解決手段は、請求項２に記載のように、駆動軸を介して巻回ドラムを回転駆動し、巻回ドラムに巻回されたワイヤロープ等の紐状体を巻回移動して、ワイヤロープ等の紐状体に取り付けられたネット又はシート等の吊張体を吊り張り移動することで所望の空間部を開閉する巻取式ウインチを用いたネット又はシート等の吊張体の吊張移動システムにおいて、空間部の所望の箇所に設置された複数台の巻取式ウインチよりそれぞれ巻回ドラムの回転駆動を制御した状態で複数のワイヤロープ等の紐状体を引き出し移動又は巻き取り移動し、各ワイヤロープ等の紐状体に連結され、且つ空間部の大きさに対応して水平状態に複数個設けられた棒状体をそれぞれ同期して上下動し、棒状体に取り付けられ且つその伸縮を阻止した状態で設けられたネット又はシート等の吊張体を吊り張り移動又は収納移動してネット又はシート等の吊張体で所望の空間部全体を開閉することを特徴とする。
【発明の作用・効果】
【００１６】次に、本発明の巻取式ウインチを用いたネット又はシート等の吊張体の移動システムの作用及び効果について記載する。
【００１７】先ず、屋内外の所望の空間部に複数台の巻取式ウインチを設置し、その後各巻取式ウインチの巻回ドラムをそれぞれ制御した状態で回転駆動して巻回ドラムよりワイヤロープ等の紐状体を上方側より床面下方側へ引き出し移動して、各ワイヤロープ等の紐状体を棒状体に連結することで、棒状体に取り付けられたネット又はシート等の吊張体を連結する。
【００１８】その後、各巻取式ウインチの巻回ドラムをそれぞれ制御した状態で上記逆方向に回転駆動し、ワイヤロープ等の紐状体を下方側より上方側へ巻き取り移動して、所望の高さで棒状体を水平状態に位置し棒状体に取り付けられたネット又はシート等の吊張体を空間部に吊り張りすることで、空間部を間仕切り等する。
【００１９】この際、ワイヤロープ等の紐状体は水平状態に設けられた棒状体に取り付けられているために、各ワイヤロープ等の紐状体は最初の制御状態のままで撓み等が発生することなくスムーズに移動することができる。
【００２０】また、ネット又はシート等の吊張体は、その戻り伸縮を阻止した状態で設けられているために、ネット又はシート等の吊張体は空間部に常に張った状態に取り付けられることとなる。
【００２１】次に、ネット又はシート等の吊張体を一時的に収納する場合は、上記とは逆に、各巻取式ウインチの巻回ドラムをそれぞれ制御した状態で上記のように回転駆動してワイヤロープ等の紐状体を上方側より下方側に引出し移動し、棒状体を水平状態で床側に移動することで、棒状体に取り付けられたネット又はシート等の吊張体を床側に折り畳んだ状態とする。
【００２２】そして、この状態でワイヤロープ等の紐状体を棒状体より離反、又はネット又はシート等の吊張体を棒状体より離反して、ネット又はシート等の吊張体を収納するとともに、各巻取式ウインチの巻回ドラムを上記と逆に回転駆動してワイヤロープ等の紐状体を下方側より上方側に巻き取り移動して空間部の間仕切り等を解除する。
【００２３】このように、ネット又はシート等の吊張体の大きさや重量に応じて巻取式ウインチを所望の数設置し、各巻取式ウインチの巻回ドラムをそれぞれ制御することで、安全に且つ確実にネット又はシート等の吊張体を吊り張り及び収納することができる。
【００２４】また、従来のように予めワイヤロープ等の紐状体の長さを調整する必要がなく棒状体に取り付けることでネット又はシート等の吊張体を取り付けすることができ、しかも取り付け後の微調整も容易に行えるために、メンテナンスにおいてもその作業がスムーズに行える。
【００２５】次に、第２の巻取式ウインチを使用するシステムとしては、先ず屋内外の所望の空間部に複数台の巻取式ウインチを設置し、その後各巻取式ウインチの巻回ドラムをそれぞれ制御した状態で回転駆動して巻回ドラムよりワイヤロープ等の紐状体を上方側より床面下方側へ引き出し移動して、各ワイヤロープ等の紐状体に空間部の大きさに応じて複数個の棒状体を取り付ける。
【００２６】そして、各捧状体に空間部の大きさに応じたネット又はシート等の吊張体を取り付けることで、ワイヤロープ等の紐状体に容易に所望の空間部に応じたネット又はシート等の吊張体を取り付けすることができる。
【００２７】この際も、上記と同様にネット又はシート等の吊張体はその戻り伸縮を阻止した状態で取り付けられている。
【００２８】その後、各巻取式ウインチの巻回ドラムをそれぞれ制御した状態で上記逆方向へ所望量の回転駆動しワイヤロープ等の紐状体を下方側より上方側へ巻き取り移動して、所望の高さで複数の棒状体をそれぞれ水平状態に位置し各棒状体に取り付けられたネット又はシート等の吊張体を空間部に吊り張りすることで空間部を間仕切り等する。
【００２９】次に、ネット又はシート等の吊張体を一時的に収納する場合は、上記とは逆に各巻取式ウインチの巻回ドラムをそれぞれ制御した状態で回転駆動しワイヤロープ等の紐状体を上方側より下方側に取り出し移動し、複数の棒状体をそれぞれ床側に位置させて、ネット又はシート等の吊張体を床側に折り畳んだ状態とする。そして、この状態でワイヤロープ等の紐状体を各棒状体より離反、又はネット又はシート等の吊張体を棒状体より離反して、ネット又はシート等の吊張体を収納するとともに、各巻取式ウインチの巻回ドラムを上記と逆に回転駆動してワイヤロープ等の紐状体を下方側より上方側に巻き取り移動して空間部の間仕切り等を解除する。
【００３０】このように、本発明の巻取式ウインチを用いたネット又はシート等の吊張体の移動システムは、簡易な構成で大空間部に対応して間仕切り移動することができる。
【００３１】また、棒状体を利用することでネット又はシート等の吊張体の水平状態での昇降移動がスムーズに行え、しかも、ワイヤロープ等の紐状体に発生する撓み等を抑えることができるので、その取扱が容易である。
【００３２】また、巻取式ウインチの設置台数に対応してネット又はシート等の吊張体の大きさ、重量に対応することができ、確実に且つ安全にワイヤロープ等の紐状体を移動することができる。
【００３３】また、ワイヤロープ等の紐状体を棒状体を介してネット又はシート等の吊張体を移動することで、その取り付けが容易であり、その取り付け及び取り外しが容易であり、メンテナンス作業をスムーズに行うことができる。
【００３４】また、巻取式ウインチの設置位置も間仕切りの方向等に応じて自在に設定することができるので、あらゆる種類の空間部に対応することができる。
【発明を実施するための最良の実施の形態】
【００３５】以下、本発明の巻取式ウインチを用いたネット又はシート等の吊張体の移動システムの一実施例について下記のような図面を用いて説明する。
【００３６】図１は本発明の巻取式ウインチを用いたネット又はシート等の移動システムの第１の実施例を示す概略説明正面図であり、図２はワイヤロープ等の紐状体と棒状体との取り付け及び棒状体とネット又はシート等の吊張体との取り付け状態を示す概略説明正面図であり、図３は図２の概略断面側面図であり、図４は巻取式ウインチを用いたネットの移動システムの第１の実施例の収納状態を示す概略説明正面図であり、図５はワイヤロープ等の紐状体と棒状体との取り付け状態の他実施例を示す概略説明正面図であり、図６、図７、図８は第２の実施例のワイヤロープ等の紐状体と棒状体との取り付け状態を示す概略説明正面図であり、図９は上部側が水平状態である空間部に設置した巻取式ウインチを用いたネットの移動システムの他実施例を示す概略説明正面図であり、図１０はネット又はシート等の戻り伸縮解消を示す概略説明正面図である。
【００３７】本発明の巻取式ウインチを用いたネットの移動システムの第１の実施例について説明する。
【００３８】巻取式ウインチを用いたネットの移動システムの構成は、空間部の上部側に複数個の設置した巻取式ウインチ１と、各巻取式ウインチ１の巻回ドラムに巻回された複数の紐状体３としてのワイヤーロープと、空間部の所望の上部側に取り付けられた複数の滑車４と、複数の紐状体３に連結された略円筒状の棒状体５と、棒状体５に連結具を介して取り付けられた吊張体６としてのネットとから構成されている。
【００３９】上記の巻取式ウインチ１は、基本的にウインチ本体と駆動源とから構成され、ウインチ本体には駆動源に連結（直接的／間接的）し回転駆動（手動電動又はアシスト電源で回転駆動する構成等その駆動手段は目的に応じて自在に選択することができる）する駆動軸と、該駆動軸に設けられた巻回ドラムとが設けられている。
【００４０】紐状体３は、棒状体５の上部側に固定されたリング状の連結具５ａに連結されている。このため、その連結及び取り外しが容易に行える。
【００４１】吊張体６は、その上部側に戻り伸縮を解消する解消棒７に取り付けられ、且つ解消棒７の上部側に板状の連結具７ａを固定し、該連結具７ａを介して棒状体５の下部側に固定されている。上記解消棒７は、柔軟で弾性を有する材質で構成されているために吊張体６の戻り伸縮の性質による伸縮を解消棒７で解消することができる。
【００４２】尚、紐状体３を連結具５ａより取り外すことで吊張体６を容易に離反して収納することができる。
【００４３】上方側が円弧状の場合の長さ調整は、空間部の最も高い天井部（天頂部）と該当する滑車４との高さ方向の距離及び設置した巻取式ウインチ１と該当する滑車４との距離に沿って行う。
【００４４】上記各巻取式ウインチ１はそれぞれ制御盤（図示せず）で制御された状態で駆動するが、紐状体３の長さ調整がすでにできているために、始動と停止等の時間制御等の簡易な制御で対応することができる。
【００４５】上記のように構成された第１実施例の巻取式ウインチを用いたネットの移動システムを使用する場合について説明する。
【００４６】先ず、所望の空間部の形状等に応じて、設置する巻取式ウインチ１の数、吊張体６の大きさ及び形状を確認後、空間部の上部側に複数の巻取式ウインチ１を設置し、制御盤により各巻取式ウインチ１の巻回ドラムを回転駆動し巻回ドラムに巻回された紐状体３をそれぞれ引き出し移動し、天井側に取り付けられた複数の滑車４を介してさらに床面側まで引き出し移動する。
【００４７】その後、各紐状体３を棒状体５の連結具５ａに連結することで、棒状体５に取り付けられた吊張体６を連結する。
【００４８】そして、再度制御盤により各巻取式ウインチ１の巻回ドラムを回転駆動し巻回ドラムに巻回されたそれぞれの紐状体３を巻き取り移動し、天井側に取り付けられた複数の滑車４に沿って、棒状体５を水平状態で天井側に所望の高さまで上昇移動することで、棒状体５に連結具７ａを介して解消棒７に設けられた吊張体６を空間部に吊り張りした後、吊張体６の下端側を直線状に広げ隙間なく空間部を間仕切りすることができる。
【００４９】この際、各紐状体３は水平状態に設けられた棒状体５に取り付けられているために、各紐状体３は最初の制御状態のままで撓み等が発生することなくスムーズに昇降移動することができる。
【００５０】また、吊張体６は、その戻り伸縮を阻止した状態で解消棒７に設けられているために、吊張体６の下端側を直線状に広げる（例えば、複数個の錘を取り付けて、又は下端側に設けられたワイヤロープを両端側に引っ張る）だけで吊張体６は空間部に常に張った状態に取り付けられることとなる。
【００５１】次に、吊張体６を紐状体３より取り外して収納する場合について説明する。
【００５２】先ず、制御盤によりそれぞれ制御した状態で各巻取式ウインチ１の巻回ドラムをそれぞれ回転駆動して紐状体３を巻回ドラムより引き出し、複数の滑車４に沿って上方側より下方側へ下降移動し、各紐状体３に取り付けられた棒状体５を床面側に位置させることで吊張体６を床面側に完全に位置させた後、紐状体３を棒状体５の連結具５ａより取り外すことで、吊張体５より取り外し、吊張体６を別の収納場所に収納した後、再度各巻取式ウインチ１の巻回ドラムをそれぞれ回転駆動して巻回ドラムに巻回されたそれぞれの紐状体３を巻き取り移動し、上方側に取り付けられた複数の滑車４に沿って紐状体３を上方側に移動することで、吊張体６の取り外しと収納との工程を終える。
【００５３】このように、本発明の巻取式ウインチを用いたネットの移動システムは、吊張体６の大きさや重量に応じて巻取式ウインチ１を所望の数設置し、各巻取式ウインチ１の巻回ドラムをそれぞれ制御することで、安全に、且つ確実に吊張体６を吊り張り及び収納することができ、しかも吊張体６の取り付け後の微調整も容易に行えるために、メンテナンスにおいてもその作業がスムーズに行える。
【００５４】また、予め長さ調整した紐状体３を棒状体５に連結しているために巻取式ウインチ１の制御盤による制御が容易であり、使用中のトラブルを出来るかぎり押さえることができる。
【００５５】また、上記実施例では巻取式ウインチ１を上方側に取り付けたが、本発明の巻取式ウインチを用いたネットの移動システムにおいては、巻取式ウインチ１の取り付け位置はこれに限定されるものでなく、例えば、巻取式ウインチ１を下端側に設置し、紐状体３のみを上方に移動するように設けることも可能である。
【００５６】また、上記実施例では紐状体３を直接棒状体５の連結具５ａに取り付けたが、紐状体３の棒状体５への取り付けはこれに限定されるものでなく、例えば、所望の重量を有する錘８を介して取り付けることで、紐状体３を常に垂直状に垂れ下げた状態として棒状体５を介して吊張体６を吊り張りすることも可能である。
【００５７】また、上記実施例では解消体７で吊張体６の戻り伸縮を解消して棒状体５に取り付けられているために、棒状体５に対しての吊張体６の荷重が均一状態であり、捧状体５の水平状態の維持が容易に行えるとともに、各紐状体３の撓み等の発生を解消することができる。
【００５８】次に、本発明の巻取式ウインチを用いたネットの移動システムの第２の実施例について説明する。
【００５９】先ず、第２の実施例は、上記第１の実施例を基礎としネットの移動システムであり、その構成は、空間部の上部側に複数個の設置した巻取式ウインチ１と、各巻取式ウインチ１の巻回ドラムに巻回された複数の紐状体３と、空間部の所望の上部側に取り付けられた複数の滑車４と、複数の紐状体３に連結され且つ所望の空間部に対応した水平方向の複数の棒状体５と、複数の棒状体５に取り付けられ、空間部を間仕切りする大きさの吊張体６とから構成されている。
【００６０】紐状体３と棒状体５との連結は、２本の棒状体５の相対する端近傍に取り付けられた連結具５ａに別体の取付紐体５ｂをそれぞれ連結した後、取付紐体５ｂを紐状体３と連結（錘８等を介して）する。
【００６１】棒状体５は複数で直線状に設けられているために、その棒状体５間の輻を縮小又は拡大しながら紐状体３の昇降移動に対応しているために、各紐状体３の昇降移動距離に相違が生じても撓み等が発生することなく、スムーズな紐状体３の昇降移動を対応することができる。
【００６２】上記のように構成された第２実施例の巻取式ウインチを用いたネットの移動システムを使用する場合について説明する。
【００６３】所望の空間部の形状等に応じて、設置する巻取式ウインチ１の数、吊張体６の大きさ及び形状を確認後、空間部の上部側に複数の巻取式ウインチ１を設置し、制御盤により各巻取式ウインチ１の巻回ドラムを回転駆動し巻回ドラムに巻回された紐状体３をそれぞれ引き出し移動し、天井側に取り付けられた複数の滑車４を介してさらに床面側まで引き出し移動する。
【００６４】その後、各紐状体３を連続した２本の棒状体５の連結具５ａに連結された取付紐体５ｂに連結することで、複数の棒状体５に取り付けられた吊張体６を連結する。
【００６５】そして、再度制御盤により各巻取式ウインチ１の巻回ドラムを回転駆動し巻回ドラムに巻回されたそれぞれの紐状体３を巻き取り移動し、天井側に取り付けられた複数の滑車４に沿って、棒状体５を水平状態で天井側に所望の高さまで上昇移動することで、棒状体５に連結具７ａを介して解消棒７に設けられた吊張体６を空間部に吊り張りした後、吊張体６の下端側を直線状に広げ隙間なく空間部を間仕切りすることができる。
【００６６】この際、紐状体３は水平状態に設けられた連続した２本の棒状体５に取り付けられているために、吊張体６の荷重等で各紐状体３の昇降距離等の相違を生じても、棒状体５間の縮小や拡大によりその撓み等を解消することができ各紐状体３は最初の制御状態のままでスムーズに昇降移動することができる。
【００６７】また、吊張体６は、第１の実施例の場合と同様にその戻り伸縮を阻止した状態で解消棒７に設けられているために、吊張体６の下端側を直線状に広げるだけで吊張体６は空間部に常に張った状態に取り付けられることとなる。
【００６８】次に、吊張体６を紐状体３より取り外して収納する場合について説明する。
【００６９】先ず、制御盤によりそれぞれ制御した状態で各巻取式ウインチ１の巻回ドラムをそれぞれ回転駆動して紐状体３を巻回ドラムより引き出し、複数の滑車４に沿って上方側より下方側へ下降移動し、各紐状体３に取り付けられた複数の棒状体５を床面側に位置させることで吊張体６を床面側に完全に位置させた後、紐状体３を各棒状体５の取付紐体５ｂより取り外すことで、吊張体６より取り外し、吊張体６を別の収納場所に収納した後、再度各巻取式ウインチ１の巻回ドラムをそれぞれ回転駆動して巻回ドラムに巻回されたそれぞれの紐状体３を巻き取り移動し、上方側に取り付けられた複数の滑車４に沿って紐状体３を上方側に移動することで、吊張体６の取り外しと収納との工程を終える。
【００７０】このように、本発明の巻取式ウインチを用いたネットの移動システムの実施例２は、大空間部に応じた大きさの吊張体６を、複数の棒状体５を用いて吊り張りすることができる。
【００７１】特に、吊張体６は複数の吊張体６を連結して構成されているために各吊張体６の戻り伸縮方向が相違する場合も多々発生するが、解消体７で戻り伸縮が解消されるとともに、棒状体５間の空間部が直線状より少しずれることにより、戻り伸縮の方向の相違を解消することができるので、吊張体６を空間部に吊り張りすることができる。
【００７２】また、上記実施例１及び２では、１本の紐状体３を１台の巻取式ウインチ１で移動したが、本発明の巻取式ウインチを用いたネットの移動システムにおいては、複数本の紐状体３の末端側を１本に束ねることで複数本の紐状体３を１台の巻取式ウインチ１で移動することも可能である。
【００７３】また、上記実施例１及び２では、１枚の吊張体６を昇降移動したが本発明の巻取式ウインチを用いたネットの移動システムにおいては、複数の吊張体６にそれぞれ紐状体３を設け、巻取式ウインチ１を制御して同時に複数の吊張体５を昇降移動すべく構成することも可能である。
【００７４】また、上記実施例１及び２では、吊張体６の上端側に戻り伸縮を阻止した状態で解消棒７に設けたが、例えば、吊張体６の両側面の上下方向に固定された取付紐１０に吊張体６の側面に設けられた複数の挿通体９を移動自在に挿通することで、吊張体６の側面の戻り伸縮を阻止することも可能である。
【図面の簡単な説明】
【００７５】
【図１】本発明の巻取式ウインチを用いたネット又はシート等の移動システムの第１の実施例を示す概略説明正面図
【図２】ワイヤロープ等の紐状体と棒状体との取り付け及び棒状体とネット又はシート等の吊張体との取り付け状態を示す概略説明正面図
【図３】図２の概略断面側面図
【図４】巻取式ウインチを用いたネットの移動システムの第１の実施例の収納状態を示す概略説明正面図
【図５】ワイヤロープ等の紐状体と棒状体との取り付け状態の他実施例を示す概略説明正面図
【図６】第２の実施例のワイヤロープ等の紐状体と棒状体との取り付け状態を示す概略説明正面図
【図７】第２の実施例のワイヤロープ等の紐状体と棒状体との取り付け状態を示す概略説明正面図
【図８】第２の実施例のワイヤロープ等の紐状体と棒状体との取り付け状態を示す概略説明正面図
【図９】上部側が水平状態である空間部に設置した巻取式ウインチを用いたネットの移動システムの他実施例を示す概略説明正面図
【図１０】ネット又はシート等の戻り伸縮解消を示す概略説明正面図
【符号の説明】
【００７６】１…巻取式ウインチ、３…紐状体、６…吊張体
【図１】
2010017507.tif 000003
【図２】
2010017507.tif 000004
【図３】
2010017507.tif 000005
【図４】
2010017507.tif 000006
【図５】
2010017507.tif 000007
【図６】
2010017507.tif 000008
【図７】
2010017507.tif 000009
【図８】
2010017507.tif 000010
【図９】
2010017507.tif 000011
【図１０】
2010017507.tif 000012
【手続補正書】
【提出日】平成20年11月11日(2008.11.11)
【手続補正１】
【補正対象書類名】特許請求の範囲
【補正対象項目名】全文
【補正方法】変更
【補正の内容】
【特許請求の範囲】
【請求項１】
駆動軸を介して巻回ドラムを回転駆動し、巻回ドラムに巻回されたワイヤロープ等の紐状体を巻回移動して、ワイヤロープ等の紐状体に取り付けられたネット又はシート等の吊張体を吊り張り移動することで所望の空間部を開閉する巻取式ウインチを用いたネット又はシート等の吊張体の吊張移動システムにおいて、空間部の所望の箇所に設置された複数台の巻取式ウインチよりそれぞれ巻回ドラムの回転駆動を制御した状態でワイヤロープ等の紐状体を引き出し移動又は巻き取り移動し、ワイヤロープ等の紐状体に水平状態で連結された棒状体を上下動し、棒状体に連結具を介して取り付けられ且つ柔軟で弾性を有する材質で構成されている解消棒によりその戻り伸縮を阻止した状態で設けられたネット又はシート等の吊張体を吊り張り移動又は収納移動して、ネット又はシート等の吊張体で空間部を開閉することを特徴とする巻取式ウインチを用いたネット又はシート等の吊張体の吊張移動システム。
【請求項２】
駆動軸を介して巻回ドラムを回転駆動し、巻回ドラムに巻回されたワイヤロープ等の紐状体を巻回移動して、ワイヤロープ等の紐状体に取り付けられたネット又はシート等の吊張体を吊り張り移動することで所望の空間部を開閉する巻取式ウインチを用いたネット又はシート等の吊張体の吊張移動システムにおいて、空間部の所望の箇所に設置された複数台の巻取式ウインチよりそれぞれ巻回ドラムの回転駆動を制御した状態で複数のワイヤロープ等の紐状体を引き出し移動又は巻き取り移動し、各ワイヤロープ等の紐状体に連結され、且つ空間部の大きさに対応して水平状態に複数個設けられた棒状体をそれぞれ同期して上下動し、棒状体に連結具を介して取り付けられ且つ柔軟で弾性を有する材質で構成されている解消棒によりその伸縮を阻止するとともに、各棒状体間の空間部のずれにより戻り伸縮の方向の相違を解消した状態で設けられたネット又はシート等の吊張体を吊り張り移動又は収納移動して、ネット又はシート等の吊張体で所望の空間部全体を開閉することを特徴とする巻取式ウインチを用いたネット又はシート等の吊張体の吊張移動システム。
【手続補正２】
【補正対象書類名】明細書
【補正対象項目名】００１４
【補正方法】変更
【補正の内容】
【００１４】本発明は上記課題を解決するための巻取式ウインチを用いたネット又はシート等の吊張体の移動システムの第１の解決手段は、請求項１に記載のように、駆動軸を介して巻回ドラムを回転駆動し、巻回ドラムに巻回されたワイヤロープ等の紐状体を巻回移動して、ワイヤロープ等の紐状体に取り付けられたネット又はシート等の吊張体を吊り張り移動することで所望の空間部を開閉する巻取式ウインチを用いたネット又はシート等の吊張体の吊張移動システムにおいて空間部の所望の箇所に設置された複数台の巻取式ウインチよりそれぞれ巻回ドラムの回転駆動を制御した状態でワイヤロープ等の紐状体を引き出し移動又は巻き取り移動し、ワイヤロープ等の紐状体に水平状態で連結された棒状体を上下動して、棒状体に連結具を介して取り付けられ且つ柔軟で弾性を有する材質で構成されている解消棒によりその戻り伸縮を阻止した状態で設けられたネット又はシート等の吊張体を吊り張り移動又は収納移動して、ネット又はシート等の吊張体で空間部を開閉することを特徴とする。
【手続補正３】
【補正対象書類名】明細書
【補正対象項目名】００１５
【補正方法】変更
【補正の内容】
【００１５】また、巻取式ウインチを用いたネット又はシート等の吊張体の移動システムの第２の解決手段は、請求項２に記載のように、駆動軸を介して巻回ドラムを回転駆動し、巻回ドラムに巻回されたワイヤロープ等の紐状体を巻回移動して、ワイヤロープ等の紐状体に取り付けられたネット又はシート等の吊張体を吊り張り移動することで所望の空間部を開閉する巻取式ウインチを用いたネット又はシート等の吊張体の吊張移動システムにおいて、空間部の所望の箇所に設置された複数台の巻取式ウインチよりそれぞれ巻回ドラムの回転駆動を制御した状態で複数のワイヤロープ等の紐状体を引き出し移動又は巻き取り移動し、各ワイヤロープ等の紐状体に連結され、且つ空間部の大きさに対応して水平状態に複数個設けられた棒状体をそれぞれ同期して上下動し、棒状体に連結具を介して取り付けられ且つ柔軟で弾性を有する材質で構成されている解消棒によりその伸縮を阻止するとともに、各棒状体間の空間部のずれにより戻り伸縮の方向の相違を解消した状態で設けられたネット又はシート等の吊張体を吊り張り移動又は収納移動して、ネット又はシート等の吊張体で所望の空間部全体を開閉することを特徴とする。
【手続補正４】
【補正対象書類名】明細書
【補正対象項目名】００１７
【補正方法】変更
【補正の内容】
【００１７】先ず、屋内外の所望の空間部に複数台の巻取式ウインチを設置し、その後各巻取式ウインチの巻回ドラムをそれぞれ制御した状態で回転駆動して巻回ドラムよりワイヤロープ等の紐状体を上方側より床面下方側へ引き出し移動して、各ワイヤロープ等の紐状体を棒状体に連結することで、棒状体に連結具を介して取り付けられたネット又はシート等の吊張体を連結する。
【手続補正５】
【補正対象書類名】明細書
【補正対象項目名】００２０
【補正方法】変更
【補正の内容】
【００２０】また、ネット又はシート等の吊張体は、柔軟で弾性を有する材質で構成されている解消棒によりその戻り伸縮を阻止した状態で設けられているために、ネット又はシート等の吊張体は空間部に常に張った状態に取り付けられることとなる。
【手続補正６】
【補正対象書類名】明細書
【補正対象項目名】００２６
【補正方法】変更
【補正の内容】
【００２６】そして、各棒状体に連結具を介して空間部の大きさに応じたネット又はシート等の吊張体を取り付けることで、ワイヤロープ等の紐状体に容易に所望の空間部に応じたネット又はシート等の吊張体を取り付けすることができる。
【手続補正７】
【補正対象書類名】明細書
【補正対象項目名】００２７
【補正方法】変更
【補正の内容】
【００２７】この際も、上記と同様にネット又はシート等の吊張体は、柔軟で弾性を有する材質で構成されている解消棒によりその戻り伸縮を阻止するとともに各棒状体間の空間部のずれにより戻り伸縮の方向の相違を解消した状態で取り付けられている。
【手続補正書】
【提出日】平成21年3月11日(2009.3.11)
【手続補正１】
【補正対象書類名】特許請求の範囲
【補正対象項目名】全文
【補正方法】変更
【補正の内容】
【特許請求の範囲】
【請求項１】
空間部の所望の箇所に設置された複数台の巻取式ウインチの駆動軸を介して巻回ドラムを制御した状態で回転駆動し、巻回ドラムに巻回されたワイヤロープ等の紐状体を巻回移動して、ワイヤロープ等の紐状体に取り付けられたネット又はシート等の吊張体を吊り張り移動することで所望の空間部を開閉する巻取式ウインチを用いたネット又はシート等の吊張体の吊張移動システムにおいて、前記ワイヤロープ等の紐状体に水平状態で連結された棒状体を上下動し、棒状体に連結具を介して取り付けられ且つ柔軟で弾性を有する材質で構成されている解消棒によりその戻り伸縮を阻止した状態で設けられ、且つ両側面の上下方向に固定された取付紐に複数の挿通体を移動自在に挿通して側面の戻り伸縮を阻止した一枚のネット又はシート等の吊張体を吊り張り移動又は収納移動して、ネット又はシート等の吊張体で空間部を開閉することを特徴とする巻取式ウインチを用いたネット又はシート等の吊張体の吊張移動システム。
【請求項２】
空間部の所望の箇所に設置された複数台の巻取式ウインチの駆動軸を介して巻回ドラムを制御した状態で回転駆動し、巻回ドラムに巻回されたワイヤロープ等の紐状体を巻回移動して、ワイヤロープ等の紐状体に取り付けられたネット又はシート等の吊張体を吊り張り移動することで所望の空間部を開閉する巻取式ウインチを用いたネット又はシート等の吊張体の吊張移動システムにおいて、各ワイヤロープ等の紐状体に連結され空間部の大きさに対応して水平状態に複数個設けられた棒状体をそれぞれ同期して上下動し、棒状体に連結具を介して取り付けられ且つ柔軟で弾性を有する材質で構成されている解消棒によりその伸縮を阻止するとともに棒状体間の幅を伸縮又は拡大しなが昇降移動に対応し、しかも各棒状体間の空間部のずれにより戻り伸縮の方向の相違を解消した状態で設けられた一枚のネット又はシート等の吊張体を吊り張り移動又は収納移動して、ネット又はシート等の吊張体で所望の空間部全体を開閉することを特徴とする巻取式ウインチを用いたネット又はシート等の吊張体の吊張移動システム。
【手続補正２】
【補正対象書類名】明細書
【補正対象項目名】００１４
【補正方法】変更
【補正の内容】
【００１４】本発明は上記課題を解決するための巻取式ウインチを用いたネット又はシート等の吊張体の移動システムの第１の解決手段は、請求項１に記載のように、空間部の所望の箇所に設置された複数台の巻取式ウインチの駆動軸を介して巻回ドラムを制御した状態で回転駆動し、巻回ドラムに巻回されたワイヤロープ等の紐状体を巻回移動して、ワイヤロープ等の紐状体に取り付けられたネット又はシート等の吊張体を吊り張り移動することで所望の空間部を開閉する巻取式ウインチを用いたネット又はシート等の吊張体の吊張移動システムにおいて、前記ワイヤロープ等の紐状体に水平状態で連結された棒状体を上下動し、棒状体に連結具を介して取り付けられ且つ柔軟で弾性を有する材質で構成されている解消棒によりその戻り伸縮を阻止した状態で設けられ、且つ両側面の上下方向に固定された取付紐に複数の挿通体を移動自在に挿通して側面の戻り伸縮を阻止した一枚のネット又はシート等の吊張体を吊り張り移動又は収納移動して、ネット又はシート等の吊張体で空間部を開閉することを特徴とする。
【手続補正３】
【補正対象書類名】明細書
【補正対象項目名】００１５
【補正方法】変更
【補正の内容】
【００１５】また、巻取式ウインチを用いたネット又はシート等の吊張体の移動システムの第２の解決手段は、請求項２に記載のように、空間部の所望の箇所に設置された複数台の巻取式ウインチの駆動軸を介して巻回ドラムを制御した状態で回転駆動し、巻回ドラムに巻回されたワイヤロープ等の紐状体を巻回移動して、ワイヤロープ等の紐状体に取り付けられたネット又はシート等の吊張体を吊り張り移動することで所望の空間部を開閉する巻取式ウインチを用いたネット又はシート等の吊張体の吊張移動システムにおいて、各ワイヤロープ等の紐状体に連結され空間部の大きさに対応して水平状態に複数個設けられた棒状体をそれぞれ同期して上下動し、棒状体に連結具を介して取り付けられ且つ柔軟で弾性を有する材質で構成されている解消棒によりその伸縮を阻止するとともに棒状体間の幅を伸縮又は拡大しなが昇降移動に対応し、しかも各棒状体間の空間部のずれにより戻り伸縮の方向の相違を解消した状態で設けられた一枚のネット又はシート等の吊張体を吊り張り移動又は収納移動して、ネット又はシート等の吊張体で所望の空間部全体を開閉することを特徴とする。
【手続補正４】
【補正対象書類名】明細書
【補正対象項目名】００７３
【補正方法】削除
【補正の内容】